(57)【要約】      （修正有）【課題】香りを制御して正確な香りの嗅ぎ分けができるようにし、また香料の消費を抑えて香りの持続性を実現する香り合わせカード玩具を提供する。【解決手段】本体構造にエンボスを施した香り合わせカード玩具であって、カード本体に凹部を設けることで、香料シールの芳香部がカード本体の表面よりも低くなるので、芳香部が他のカードと擦れず、例えばカードシャッフル時の摩擦等から、香りが他のカードに移ることを防ぎ、また香料の消費を抑えて、必要な時だけ適宜香りを発生させることができるようになり、香りの制御及び香りの保護を容易なものにする構造を持つことを特徴とする。【選択図】図１
0003172130.tif 000002
【実用新案登録請求の範囲】
【請求項１】
本考案は、本体構造にエンボスを施した香り合わせカード玩具であって、カード本体に凹部を設けることで、香料シールの芳香部がカード本体の表面よりも低くなるので、芳香部が他のカードと擦れず、例えばカードシャッフル時の摩擦等から、香りが他のカードに移ることを防ぎ、また香料の消費を抑えて、必要な時だけ適宜香りを発生させることができるようになり、香りの制御及び香りの保護を容易なものにする構造を持つことを特徴とする。
【考案の詳細な説明】
【考案の詳細な説明】
【技術分野】
【０００１】  本考案は、嗅覚を使って複数の香りを嗅ぎ比べて答えを探し合わせるカード玩具であって、特に香りを制御する本体構造に関する。
【背景技術】
【０００２】  従来から知られているものとして、匂いを嗅いで正解を当てる香りカードが存在した。
この従来例は、予めカード本体部分にマイクロカプセル化した香料が塗布してあり、それを指で擦ることで香りを発生させるものであった。
しかしながら芳香部が常に露呈している為、例えばカードシャッフル時のカード同士の摩擦等でも、マイクロカプセルが擦れてしまうので、他のカードに香りが移ってしまい、また香料の消費が早いため、正確な香りの嗅ぎ分け、香りの持続性という面から問題があった。
【考案が解決しようとする課題】
【０００３】  そこで、本考案は、上記従来技術の問題点を鑑み為されたものであり、香りカードの本体構造を改良することによって、香りの制御、香りの保護を容易なものとすることのできる、香り合わせカード玩具を提供する。
【課題を解決するための手段】
【０００４】  請求項１記載の、第一考案は、本体構造にエンボス（くぼみ加工）を施した香り合わせカード玩具であって、カード本体に凹部を設けることで、香料シールの芳香部がカード本体の表面よりも低くなるので、芳香部が他のカードと擦れず、例えばカードシャッフル時の摩擦等から、香りが他のカードに移ることを防ぎ、また香料の消費を抑えて、必要な時だけ適宜香りを発生させることができるようになり、香りの制御及び香りの保護を容易なものにする構造を持つことを特徴とする。
【考案の形態】
【０００５】  本考案は、複数の香りを嗅ぎ比べて答えを合わせる、エンボス構造を有する香り合わせカード玩具であって、本体は二つのパーツからなるカード状のものである。
これは、片面にフィルムがコーティングされているものを、フィルム面を外側にして貼り合わせ、一枚のカードとしたものである。
【０００６】  カード本体に設けられたエンボス部により、カード保管時は芳香部が密閉されることにより、香りの劣化を防ぐことができる。
また、芳香部が、他のカードと接しないことにより、他のカードへ香りが移ることを防ぐことで、より正確な香りの嗅ぎ分けを可能とし、香料の消費を抑えることで香りの保護と持続性を可能としたものである。
【０００７】  カード本体にはフィルムがコーティングされているので、カード自体の持つ素材臭（印刷インキ、紙等の原料臭）を抑え、カード本体、及び他のカードに香りが移りにくくするものである。
また、フィルムの効果により、香料シールの再剥離性を助け、その貼り替えを容易にすることができるものである。
【０００８】  芳香部をカード本体とは別の、再剥離が容易なシール状のものとし、そのシールはマイクロカプセル化した香料を付着させたものとする。またそのシールは、リフィル（予備シール）と貼り替えを可能としたものである。
【０００９】  使用頻度や時間経過で香りが劣化してしまった場合でも、予め用意されたリフィル（予備シール）に付け替えることで、常に新鮮な香りを提供することができるので、嗅覚を使った香り合わせカードとしてより正確な香りの嗅ぎ分けが可能となり、香料の使用期間を大幅に伸ばすことを可能としたものである。
【００１０】  これらのことにより、香りの保護、制御が大幅に向上したため、カードシャッフル時の摩擦等や、保管時の香りの減少、劣化を防ぐことができ、嗅覚を使った香り合わせカードとしてのゲーム要素が損なわれることなく、より正確な香りの嗅ぎ分けができるようになり、香料の消費を抑えることで香りを保護し、その使用期間を大幅に伸ばすことのできるものである。
【実施例】
【００１１】  これは複数の香りを嗅ぎ比べて答えを探し合せるという、今までにない新しいカード合わせ玩具であり、日常生活の中であまり意識して使うことの少ない嗅覚を用いて、遊びながらに脳を活性化させることを目的とした知育玩具である。
カード本体１表面（図２）には、対象物（野菜や果物など）をデザインし、カード本体１裏面（図３）には、対象物と同じ香りのする香料シール５を貼り付けて使用する。ゲーム性を持たせるために、予め対象物（野菜や果物など）をデザインしたカード本体１と香料シール５をそれぞれ複数種、複数枚用意する。
カード本体１の表面を伏せることで、見た目（視覚情報）だけでは対象物の判別が全くつかず、カード本体１裏面の香料シール５を嗅ぐ事（嗅覚情報）でしか対象物の判別がつかない為、何度遊んでも同じことの繰り返しにはならない遊びの要素を有している。遊び方の一例（図１）
また使用する対象物をデザインしたカード本体１の種類と枚数を増やすことで、子供から大人まで楽しめるゲーム性を有する。【００１２】  カード本体１には、エンボス３を設けており（図４）、香料シール５の芳香部をカード本体１の表面よりも低くすることで（図６）、香料シール５をカード同士のシャッフル時の摩擦等（図７）から保護し、芳香部のマイクロカプセルの磨耗を防いでいる。これらのことにより、香料が他のカードへ付着することを防ぐことによって、より正確な香りの嗅ぎ分けが可能となり、ゲーム要素を損うことなく、香り合わせカードをより長い期間楽しむことを可能とした。
また、エンボス構造（図６）により、保管時の香りの減少、他のカードへの移り香も防ぐことができる。【００１３】  本体カード１に施された、フィルム２のコーティングの効果により（図４）、カード自体の持つ素材臭（印刷インキ、紙等の原料臭）を抑え、カード本体１、及び他カードに香りが移らないようにすることで、より正確な香りの嗅ぎ分けが行える嗅覚を使った香り合わせカード玩具となった。
また、フィルム２のコーティングと、香料シール５の再剥離性により、リフィル（予備シール）４（図５）の貼り替えが容易になり、香りを制御することにより、常に新鮮な香りを提供することができ、嗅覚を使った香り合わせカードとして、より正確な香りの嗅ぎ分けが可能となり、香料の使用期間を大幅に伸ばすことを可能としたものである。【００１４】  芳香部を香料シール５とすることにより（図３）、香りが劣化した際にもリフィル（予備シール）４（図５）を用いて香料部分の付け替えが可能で、常に新鮮な香りを提供することができる。
これらのことにより、従来の交換不可能で制御できない芳香部を持つ香りカードに対し、長く遊べる優位性を持つ、嗅覚を使って香りを嗅ぎ比べる、香り合わせカード玩具となった。
【考案の効果】
【００１５】  本考案は、以上説明したような形態で実施され、以下のような効果を奏する。
【００１６】  本考案は、従来の香りカードの本体構造を改良し、香りを制御するためのエンボスを施すことにより、他のカードへ香りが移ることを防ぐことで、より正確な香りの嗅ぎ分けを可能とし、香料の消費を抑えることで香りの保護と持続性を可能としたものである。複数の香りを嗅ぎ比べて答えを探し合せるという、今までにない新しいカード合わせ玩具であり、遊びながらに脳を活性化させることを目的とした知育玩具である。幼児から大人まで楽しめる新しい遊びを提供するものとなった。
また普段はあまり意識して使わない嗅覚を、意識して使用することにより、脳の普段は使わない分野を活性化させるという、新しい試みの知育玩具としての、香り合わせカード玩具となった。
【図面の簡単な説明】
【図１】香り合わせカード玩具を使った遊びの全体図の一例
【図２】カード本体表面を示す斜視図
【図３】カード本体裏面を示す斜視図
【図４】図３に示すものの要部拡大断面図
【図５】リフィル（予備シール）を示す平面図
【図６】カード保管、シャッフル時の要部拡大断面図
【図７】カードシャッフル時の全体図
【符号の説明】１  カード本体
２  フィルム
３  エンボス（くぼみ加工）
４  リフィル（予備シール）
５  香料シール
【図１】
0003172130.tif 000003
【図２】
0003172130.tif 000004
【図３】
0003172130.tif 000005
【図４】
0003172130.tif 000006
【図５】
0003172130.tif 000007
【図６】
0003172130.tif 000008
【図７】
0003172130.tif 000009
【手続補正書】
【提出日】平成23年9月8日(2011.9.8)
【手続補正１】
【補正対象書類名】実用新案登録請求の範囲
【補正対象項目名】全文
【補正方法】変更
【補正の内容】
【実用新案登録請求の範囲】
【請求項１】
カード本体の一部にエンボス加工を施した香り合わせカード玩具で、香料シールを貼付するためのエンボス部を有したカード本体と、カード本体エンボス部に貼付するための香料シールの組み合わせからなる構造である。
カード本体にエンボス部を設けることで、エンボス部とカード本体表面との間に高低差を作り、カード本体エンボス部に貼付した香料シールの芳香部をカード本体の表面よりも低くなるようにした。
このことにより、カードを重ねても香料シールの芳香部が他のカードと擦れ合うことがなくなり、例えばカードシャッフル時の摩擦等から、香り成分が他のカードに移ることを防ぎ、香り成分の無駄な消費を抑え、必要な時だけカード本体エンボス部に貼付した香料シールを指で擦ることで適宜香りを発生させることができるようになり、香りの制御及び香りの保護を容易なものにする構造を持つことを特徴とした香り合わせカード玩具である。